【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
スキャンされた画像において白画素に置換する色の指定を受け付ける受付手段と、
前記指定された色が有彩色である場合には、彩度が第１の閾値より高く、色相が前記指定された色に対応する色相の範囲内にある第１の色を有する画素を白画素で置換し、前記指定された色が黒の場合、彩度が第２の閾値以下の第２の色を持つ画素を白画素で置換する置換手段と
を有することを特徴とする画像処理装置。
【請求項２】
請求項１に記載の画像処理装置であって、
前記受付手段は、置換される前記指定された色の色相を調整する調整手段をさらに有し、
前記置換手段は、調整された前記指定された色が有彩色である場合、彩度が前記第１の閾値よりも高く、色相が、前記調整された前記指定された色に対応する色相の範囲内にある、前記第１の色を有する画素を白画素で置換する
ことを特徴とする画像処理装置。
【請求項３】
請求項１または２に記載の画像処理装置であって、
前記受付手段は、前記指定された色に対応する前記色相の範囲を変更する変更手段をさらに有し、
前記置換手段は、前記指定された色が有彩色である場合、彩度が前記第１の閾値よりも高く、色相が、前記指定された色に対応する変更された色相の範囲内にある前記第１の色を有する画素を白画素で置換する
ことを特徴とする画像処理装置。
【請求項４】
請求項３に記載の画像処理装置であって、
前記変更手段は、前記第１の閾値をさらに変更し、
前記置換手段は、前記指定された色が有彩色である場合、彩度が前記第１の閾値よりも高く、色相が、前記指定された色に対応する前記変更された色相の範囲内にある前記第１の色を有する画素を白画素で置換する
ことを特徴とする画像処理装置。
【請求項５】
請求項３に記載の画像処理装置であって、
前記変更手段は、前記第２の閾値をさらに変更し、
前記置換手段は、前記指定された色が黒の場合、彩度が前記変更された前記第２の閾値以下の前記第２の色の画素を、白画素で置換する
ことを特徴とする画像処理装置。
【請求項６】
請求項４に記載の画像処理装置であって、
前記変更手段は、前記指定された色に対応する色相の範囲と前記第１の閾値とを独立して変更可能である
ことを特徴とする画像処理装置。
【請求項７】
請求項４に記載の画像処理装置であって、
前記変更手段は、前記受け付けた前記指定された色が、前記スキャンされた画像の文書画像を形成する色材の色である場合、前記第１の閾値を変更し、前記色相の範囲は変更しない
ことを特徴とする画像処理装置。
【請求項８】
請求項１乃至７のいずれか一項に記載の画像処理装置であって、
前記置換手段は、変換の前後の色を関連付けたルックアップテーブルを作成する作成手段を有し、彩度が前記第１の閾値より高く、色相が、前記ルックアップテーブルを参照することで前記指定された色に対応する色相の範囲内にある前記第１の色を有する画素を白画素で置換し、
前記作成手段は、白画素で置換される色の画素が白画素と関連付けられるように前記ルックアップテーブルを作成する
ことを特徴とする画像処理装置。
【請求項９】
請求項１乃至８のいずれか一項に記載の画像処理装置であって、
文書をスキャンすることによって前記スキャンされた画像を取得する取得手段と、
前記スキャンされた画像に基づいて画像を形成する画像形成手段とを有し、
前記画像形成手段は、前記置換手段により色が置換された画像データに基づいて画像を形成する
ことを特徴とする画像処理装置。
【請求項１０】
画像処理方法であって、
スキャンされた画像において白画素に置換する色の指定を受け付ける受付工程と、
前記指定された色が有彩色である場合には、彩度が第１の閾値より高く、色相が前記指定された色に対応する色相の範囲内にある第１の色を有する画素を白画素で置換し、前記指定された色が黒の場合、彩度が第２の閾値以下の第２の色を持つ画素を白画素で置換する置換工程と
を有することを特徴とする画像処理方法。
【請求項１１】
請求項１０に記載の画像処理方法であって、
置換される前記指定された色の色相を調整する調整工程をさらに有し、
前記置換工程では、調整された前記指定された色が有彩色である場合、彩度が前記第１の閾値よりも高く、色相が、前記調整された前記指定された色に対応する色相の範囲内にある、前記第１の色を有する画素を白画素で置換する
ことを特徴とする画像処理方法。
【請求項１２】
請求項１０または１１に記載の画像処理方法であって、
前記受付工程は、前記指定された色に対応する前記色相の範囲を変更する変更工程をさらに有し、
前記置換工程では、前記指定された色が有彩色である場合、彩度が前記第１の閾値よりも高く、色相が、前記指定された色に対応する変更された色相の範囲内にある前記第１の色を有する画素を白画素で置換する
ことを特徴とする画像処理方法。
【請求項１３】
請求項１２に記載の画像処理方法であって、
前記変更工程では、前記第１の閾値をさらに変更し、
前記置換工程では、前記指定された色が有彩色である場合、彩度が前記第１の閾値よりも高く、色相が、前記指定された色に対応する前記変更された色相の範囲内にある前記第１の色を有する画素を白画素で置換する
ことを特徴とする画像処理方法。
【請求項１４】
請求項１２に記載の画像処理方法であって、
前記変更工程では、前記第２の閾値をさらに変更し、
前記置換工程では、前記指定された色が黒の場合、彩度が前記変更された第２の閾値以下の前記第２の色の画素を、白画素で置換する
ことを特徴とする画像処理方法。
【請求項１５】
請求項１３に記載の画像処理方法であって、
前記変更工程では、前記指定された色に対応する色相の範囲と前記第１の閾値とを独立して変更可能である
ことを特徴とする画像処理方法。
【請求項１６】
請求項１３に記載の画像処理方法であって、
前記変更工程では、前記受け付けた前記指定された色が、前記スキャンされた画像の文書画像を形成する色材の色である場合、前記第１の閾値を変更し、前記色相の範囲は変更しない
ことを特徴とする画像処理方法。
【請求項１７】
請求項１０乃至１６のいずれか一項に記載の画像処理方法であって、
前記置換工程は、変換の前後の色を関連付けたルックアップテーブルを作成する作成工程を有し、彩度が前記第１の閾値より高く、色相が、前記ルックアップテーブルを参照することで前記指定された色に対応する色相の範囲内にある前記第１の色を有する画素を白画素で置換し、
前記作成工程では、白画素で置換される色の画素が白画素と関連付けられるように前記ルックアップテーブルを作成する
ことを特徴とする画像処理方法。
【請求項１８】
請求項１０乃至１７のいずれか一項に記載の画像処理方法であって、
文書をスキャンすることによって前記スキャンされた画像を取得する取得工程と、
前記スキャンされた画像に基づいて画像を形成する画像形成工程とを有し、
前記画像形成工程では、前記置換工程により色が置換された画像データに基づいて画像を形成する
ことを特徴とする画像処理方法。
【請求項１９】
スキャンされた画像において白画素に置換する色の指定を受け付ける受付手段と、
前記指定された色が有彩色である場合には、彩度が第１の閾値より高く、色相が前記指定された色に対応する色相の範囲内にある第１の色を有する画素を白画素で置換し、前記指定された色が黒の場合、彩度が第２の閾値以下の第２の色を持つ画素を白画素で置換する置換手段と
してコンピュータを機能させるためのプログラム。
【手続補正２】
【補正対象書類名】明細書
【補正対象項目名】００１０
【補正方法】変更
【補正の内容】
【００１０】
本発明の一側面によれば、スキャンされた画像において白画素に置換する色の指定を受け付ける受付手段と、
前記指定された色が有彩色である場合には、彩度が第１の閾値より高く、色相が前記指定された色に対応する色相の範囲内にある第１の色を有する画素を白画素で置換し、前記指定された色が黒の場合、彩度が第２の閾値以下の第２の色を持つ画素を白画素で置換する置換手段と
を有することを特徴とする画像処理装置が提供される。